(57)【要約】【課題】皿状に形成した複数の弾性体が、緩衝材として作用し衝撃吸収を図るもので、単純な構成によって高い耐久性を得る。【解決手段】内側に凹んで皿状に形成された弾性体Ａ１０とＢ２０およびＹ２３とＺ１１はそれぞれ一対となって互いに凹み側外周の端面１７が対向当接しており、それぞれの皿形状の中央位置で、弾性体Ａ１０の凸側に取り付け部１２が、凹側にフランジ部１３が設けられ凹み側へ向かって突き出るガイド軸１５を固着し、弾性体Ｂ２０およびＹ２３は皿形状の中央位置の凹凸両側に嵌合穴１４が貫通するフランジ部１３を備え、弾性体Ｚ１１の凸側に取り付け部１２が、凹側にフランジ部１３が設けられ嵌合穴１４が貫通している。各対の凹み側フランジ部１３の端面は距離を隔てて対向している。隣接する各対はそれぞれの凸側フランジ部１３の端面が対向して当接し、ガイド軸１５の先端に固定されるストッパー１６が各対を離脱不可能に押圧する。【選択図】図５
2005083396.tif 000002
【特許請求の範囲】
【請求項１】
略均一の肉厚で、内側に凹んだ皿状に（または鍋蓋状に）形成された弾性体Ａには、皿形状の中央位置の凸側に取り付け部が、凹側にフランジ部が設けられ、
略均一の肉厚で、内側に凹んだ皿状に（または鍋蓋状に）形成された弾性体Ｚには、皿形状の中央位置の凸側に取り付け部が、凹側にフランジ部が設けられ、
前記弾性体ＡおよびＺのそれぞれの凹み側が対向する向きで両者の外周の端面が当接し離脱することなく固着されており、且つ両者の凹み側フランジ部の端面が距離を隔てて対向していることを特徴とする衝撃緩衝器。
【請求項２】
上記弾性体ＡおよびＺの中間に、同様な形状に形成され凹凸両側にフランジ部を設けた複数の中間弾性体Ｂ、Ｃ、Ｄ、…、Ｙが配置され、ＡとＢ、ＣとＤ、…ＹとＺはそれぞれ一対となって凹み側外周の端面が互いに対向して当接し離脱することなく固着されており且つフランジ部の端面が距離を隔てて互いに対向しており、なお且つ隣接する各対はそれぞれ中間弾性体の凸側フランジ部の端面が互いに対向して当接し離脱することなく固着されたものであって、それぞれの各対の皿形状サイズが他の対と同サイズまたは異なったサイズに形成されることを特徴とする請求項１記載の衝撃緩衝器。
【請求項３】
略均一の肉厚で、内側に凹んだ皿状に（または鍋蓋状に）形成された弾性体Ａには、皿形状の中央位置の凸側に取り付け部が、凹側にフランジ部が設けられ、凸側から凹み側へ向かって突き出ているガイド軸を備えており、
略均一の肉厚で、内側に凹んだ皿状に（または鍋蓋状に）形成された弾性体Ｚには、皿形状の中央位置の凸側に取り付け部が、凹側にフランジ部が設けられ、凸側から凹み側へ向かって貫通する嵌合穴を備えており、
前記弾性体ＡおよびＺのそれぞれの凹み側が対向する向きで該嵌合穴が前記ガイド軸に嵌り込み、両者の凹み側外周の端面が当接しており且つ両者の凹み側フランジ部の端面が距離を隔てて対向しており、ガイド軸の先端に固定されたストッパーが、両者を離脱させることなく押圧していることを特徴とする衝撃緩衝器。
【請求項４】
上記弾性体ＡおよびＺの中間に、同様な形状に形成され凹凸両側にフランジ部を設けた複数の中間弾性体Ｂ、Ｃ、Ｄ、…、Ｙが配置され、皿形状の中央位置に凸側から凹み側へ向かって貫通する嵌合穴を備えて前記ガイド軸に嵌り込んでおり、ＡとＢ、ＣとＤ、…ＹとＺはそれぞれ一対となって互いに凹み側外周の端面が対向して当接しており且つ両者の凹み側フランジ部の端面が距離を隔てて対向しており、なお且つ隣接する各対はそれぞれ中間弾性体の凸側フランジ部の端面が対向して当接しており、ガイド軸の先端に固定されたストッパーが、各対を離脱させることなく押圧しているものであって、それぞれの各対の皿形状サイズが他の対と同サイズまたは異なったサイズに形成されることを特徴とする請求項３記載の衝撃緩衝器。
【請求項５】
前記弾性体の皿形状の一部を切り欠いて形成したことを特徴とする請求項１、２、３、および４記載の衝撃緩衝器。
【請求項６】
前記請求項１、２、３、４および５の発明による衝撃緩衝器を備えたことを特徴とする歩行用杖。
【発明の詳細な説明】
【技術分野】
【０００１】
本発明は、衝撃緩衝器および該衝撃緩衝器を備えた歩行用杖に関するものである。
【背景技術】
【０００２】
衝撃を和らげて停止させるための緩衝装置あるいは懸架装置に関して従来幾多の開発がなされており、多種多様の技術が特許文献に公開されている。例えば、
可動ピストンを備えたシリンダーに内封された流体が移動時に示す粘性抵抗によって衝撃を緩和するもの（文献１）はきわめて一般的であって、大きな荷重の衝撃に対応できるものである。
また、シリンダーに内封された圧縮ガスがピストンを押し出していて、衝撃力によって押し戻されるものでスプリングとしての作用があるガススプリング（文献２）は、小中荷重の衝撃に対応できるものであって、一般的にドアの開閉や回転椅子に用いられている。
上記の可動ピストンを備えたシリンダーによるものは、耐荷重の範囲が広く且つ減衰性能が高く、また両者がガイドし合って安定した直線運動を拘束している。その反面大きさが大きくことに長さが長くなるので、小型、軽量および簡易化には限度があり生活用品等の普及品目には価格面で利用されることが少ない。
【０００３】
さらに小型化した簡易型の事例として台車等に用いる緩衝装置（文献３）がある。伸縮方向中央に支持用ばねを配して、エンドレスな帯状のゴム製外側部材とその内側に密着した板状内側部材との摺動摩擦によって減衰力を発生させようとしたものである。ばねの伸縮方向だけに変位が規制されておらず横方向にも変位可能であってサスペンション装置として好適な利用が可能である。
また第1部材と第2部材がそれぞれ外側に取り付けおねじを、内側には大径の複数の緩衝材を備えており、第３部材が両者の緩衝材の大径部分を離脱不可能に収容したもの（文献４）があり、可動長さは少ないが高い耐荷重および緩衝性と機械的強さが期待できる。耐震台座装置として好適であり、その形状および構成は他用途の衝撃緩衝器においても簡易化および小型化への展開を示唆している。
【０００４】
また、歩行用の杖のショックアブソーバとして杖本体の下端に長手方向に規制された範囲で移動可能な当接部を配して、圧縮コイルバネ等の弾性体で付勢したもの（文献５）、巻き方向が互いに反対で巻き径の異なるコイルバネを同軸的に配置して握り部下方の穴内に収容し、杖本体の上端に固定したバネ押さえの中央穴を貫通するキャップボルトが握り部下方の穴底の雌ねじに螺合されて圧縮コイルバネの伸縮スペースを規制し、バネ押さえの移動は握り部下方の穴内面とキャップボルトの外面によってガイドされるもの（文献６）、杖本体が接地部を有する第1部分と、柄に接続される第２部分に分かれており、両部分のそれぞれには互いに対向する外側基部が関連づけられその間には少なくとも２つの部分の相対移動を緩和する外側弾性要素が配されるもの（文献７）が公知である。
【０００５】
上記３例では、程よく軽量、小型および簡易化が図れているが、文献５および６の例では小さなスペースに金属スプリングや弾性塊が内封されており、可動距離に限界があり且つ伸縮時の両限度位置における反発力の差が少ないので十分な衝撃緩衝がされ難い。すなわち金属スプリングのばね定数が小さな場合は大きな荷重時にストローク端まですぐに達してしまい衝撃が残ることになり、ばね定数が大きな場合は小さな荷重時に変位しないので緩衝しないことになる。また弾性塊によれば大きなストロークは期待できない。
文献７の例でも外側弾性要素が圧縮変形される形状であってやはり大きなストロークは期待できない。また第1、２部分それぞれの外側基部の関連づけがやや脆弱であって、杖に曲げの力が作用すると、その位置で曲がりやすく耐久性の面で危惧される。文献６の例でも相対移動のガイド部の長さが短いと同様の問題が発生する。
【０００６】
また文献８の杖によればその衝撃緩衝部分は、把持部の下方に継手を介して外筒を固着し、上端に中栓を固着したシャフトが該外筒に嵌合しており、中栓に冠着された筒状緩衝部材と継手の穴の内面、中栓外周の一部と外筒の内面、およびシャフトの外周と外筒の内面で摺動をガイドし、継手の穴内に収容された圧縮コイルスプリングが中栓およびシャフトを下方に押圧しており、把持部に螺着された心棒が下方に伸びて中栓およびシャフトの離脱を阻止したものである。さらに外筒とシャフトの回転を阻止するために、継手にキー溝を設けてボールを嵌入させている。杖に用いられるものとしての直線運動の拘束性は好適であるが、外筒の内面とシャフトの外面が摺動すること、および構成要素が多いことで耐久性に懸念があり、更なる簡素化が望まれる。
【特許文献１】特開２００３−２０２０４６号公報
【特許文献２】特開平１１−  ３１１２８３号公報
【特許文献３】特開２００３−１９４１２２号公報
【特許文献４】特開２００３−１４８５５８号公報
【特許文献５】特開平０８−  ５６７２１号公報
【特許文献６】特開平１０−  ９４４０８号公報
【特許文献７】特開平１０−  １１７８２０号公報
【特許文献８】特開２００２−３３６０１７号公報
【発明の開示】
【発明が解決しようとする課題】
【０００７】
本発明では、カート、車椅子あるいは歩行用杖等に利用することを意図して上記の問題点を解決しようとする衝撃緩衝器である。
内側に凹んだ皿状に（または鍋蓋状に）形成した２個の弾性体をそれぞれ凹み側を対向させて一対とし、一対または複数対を皿形状の中心を同心に配列し、両外側に、すなわち両外側に配した弾性体の凸側にそれぞれ取り付け部を設けた構成とする。
皿形状の中心を結ぶ軸線方向の荷重に反応して各弾性体がたわみ、緩衝材としての作用による衝撃吸収を図るものであり、単純な構成によって高い耐久性を得ることを課題とする。また複数対で構成することによって伸縮範囲を広げ、各対の形状を変えることによって全体の弾性定数の変化範囲を広げようとするものでる。
ガイド軸を有しない請求項１、２の構成によって、軸線方向以外にも変形可能とし、多方向へのサスペンション装置としての機能を意図する。また嵌合穴を摺動するガイド軸を有する請求項３、４の構成によって、軸線方向にのみ変形を許容し、他方向の力に対しては構成内で確実に拘束しており、直線状に伸びる管等の中間に配置可能とし、杖や椅子等の衝撃緩衝器としての適用を意図するものである。
【課題を解決するための手段】
【０００８】
本発明による衝撃緩衝器は、略均一の肉厚で、内側に凹んだ皿状に（または鍋蓋状に）形成された弾性体Ａには、皿形状の中央位置の凸側に取り付け部が、凹側にフランジ部が設けられ、
略均一の肉厚で、内側に凹んだ皿状に（または鍋蓋状に）形成された弾性体Ｚには、皿形状の中央位置の凸側に取り付け部が、凹側にフランジ部が設けられ、
前記弾性体ＡおよびＺのそれぞれの凹み側が対向する向きで両者の外周の端面が当接し離脱することなく固着されており、且つ両者の凹み側フランジ部の端面が距離を隔てて対向しているものである。
【０００９】
また、上記弾性体ＡおよびＺの中間に、同様な形状に形成され凹凸両側にフランジ部を設けた複数の中間弾性体Ｂ、Ｃ、Ｄ、…、Ｙが配置され、ＡとＢ、ＣとＤ、…ＹとＺはそれぞれ一対となって凹み側外周の端面が互いに対向して当接し離脱することなく固着されており且つフランジ部の端面が距離を隔てて互いに対向しており、なお且つ隣接する各対はそれぞれ中間弾性体の凸側フランジ部の端面が互いに対向して当接し離脱することなく固着されたものであって、それぞれの各対の皿形状サイズが他の対と同サイズまたは異なったサイズに形成されたものである。
【００１０】
また、略均一の肉厚で、内側に凹んだ皿状に（または鍋蓋状に）形成された弾性体Ａには、皿形状の中央位置の凸側に取り付け部が、凹側にフランジ部が設けられ、凸側から凹み側へ向かって突き出ているガイド軸を備えており、
略均一の肉厚で、内側に凹んだ皿状に（または鍋蓋状に）形成された弾性体Ｚには、皿形状の中央位置の凸側に取り付け部が、凹側にフランジ部が設けられ、凸側から凹み側へ向かって貫通する嵌合穴を備えており、
前記弾性体ＡおよびＺのそれぞれの凹み側が対向する向きで該嵌合穴が前記ガイド軸に嵌り込み、両者の凹み側外周の端面が当接しており且つ両者の凹み側フランジ部の端面が距離を隔てて対向しており、ガイド軸の先端に固定されたストッパーが、両者を離脱させることなく押圧しているものである。
【００１１】
また、上記弾性体ＡおよびＺの中間に、同様な形状に形成され凹凸両側にフランジ部を設けた複数の中間弾性体Ｂ、Ｃ、Ｄ、…、Ｙが配置され、皿形状の中央位置に凸側から凹み側へ向かって貫通する嵌合穴を備えて前記ガイド軸に嵌り込んでおり、ＡとＢ、ＣとＤ、…ＹとＺはそれぞれ一対となって互いに凹み側外周の端面が対向して当接しており且つ両者の凹み側フランジ部の端面が距離を隔てて対向しており、なお且つ隣接する各対はそれぞれ中間弾性体の凸側フランジ部の端面が対向して当接しており、ガイド軸の先端に固定されたストッパーが、各対を離脱させることなく押圧しているものであって、それぞれの各対の皿形状サイズが他の対と同サイズまたは異なったサイズに形成されたものである。
【００１２】
また、前記弾性体の皿形状の一部を切り欠いて形成して、低い弾性定数値を設定したものである。
【００１３】
また、上記の発明による衝撃緩衝器を備えることによって、歩行者の手に加わる衝撃を和らげる杖を提供できる。
【発明の効果】
【００１４】
内側に凹んだ皿状に（または鍋蓋状に）形成した２個の弾性体をそれぞれの凹み側を対向させて一対とし、一対または複数対を皿形状の中心を同心に配列した本発明の構成により、皿形状の中心を結ぶ軸線方向の荷重に反応して各弾性体がたわみ、緩衝材としての作用による衝撃吸収を図るものであり、単純な構成によって高い耐久性を得ることができる。
複数対で構成することによって伸縮範囲を広げることができ、また各対の形状を変えることによって全体の弾性定数の変化範囲を広げることができる効果がある。
ガイド軸を有しない構成によって、軸線方向以外にも変形可能とし、多方向へのサスペンション装置として機能する。また嵌合穴を摺動するガイド軸を有した構成によって、軸線方向にのみ変形を許容し、他方向の力に対しては構成内で確実に拘束しており、直線状に伸びる管等の中間に配置可能な衝撃緩衝器として機能し、杖や椅子等の中間部に適用できる効果がある。
【発明を実施するための最良の形態】
【００１５】
本発明に係わる衝撃緩衝器の好適な７種類の実施例についてその形態を添付図面に基づいて説明する。
【実施例１】
【００１６】
図１は、請求項１の発明を適用した実施例１の展開斜視図である。
略均一の肉厚で、内側に凹んだ皿状に（または鍋蓋状に）形成された弾性体Ａ１０には、皿形状の中央位置の凸側に取り付け部１２が、凹側にフランジ部１３が設けられ、外周部に複数の固着用穴２５が形成されている。
略均一の肉厚で、内側に凹んだ皿状に（または鍋蓋状に）形成された弾性体Ｚ１１には、皿形状の中央位置の凸側に取り付け部１２が、凹側にフランジ部１３が設けられ、外周部に複数の固着用穴２５が形成されている。
前記弾性体Ａ１０およびＺ１１のそれぞれの凹み側が対向する向きで両者の外周の端面１７が当接し複数の固着用穴２５のそれぞれ対応する位置でリベット２７により離脱することなく固着されており、且つ両者の凹み側フランジ部１３の端面が距離を隔てて対向している。なお本図ではリベットによる固着方法を示したが、接着、溶着あるいはねじ止め等によっても可能である。
【００１７】
弾性体Ａ１０およびＺ１１は、強化樹脂あるいは硬質ゴム等の制振性素材によって形成されており、両者の取り付け部から軸線方向に加圧されると、皿状部が撓んで両者の距離を隔てて対向するフランジ部１３の端面同士が当接するまで圧縮され、衝撃を緩衝する。弾性体が高制振性のゴムと金属板を複合して形成されることにより、その撓みに応じて両素材間に剪断抵抗が作用し振動減衰性をさらに高められる。
軸線方向に対して傾斜した偏荷重が加わる場合、両取り付け部の間で傾斜動およびある程度の横方向の変位も許容されている。
【実施例２】
【００１８】
図２は、請求項１および５の発明を適用した実施例２の斜視図である。
実施例１の弾性体Ａ１０およびＺ１１において、皿形状の一部を切り欠いて形成したものであり、その構成および作用については実施例１と同等であるが、より低い適応荷重およびより広い弾性変形範囲を得ることができる。
【実施例３】
【００１９】
図３は、請求項３の発明を適用した実施例３の展開斜視図である。
略均一の肉厚で、内側に凹んだ皿状に（または鍋蓋状に）形成された弾性体Ａ１０には、皿形状の中央位置の凸側に取り付け部１２が、凹側にフランジ部１３が設けられ、凸側から凹み側へ向かって突き出ているガイド軸１５を備えており、
略均一の肉厚で、内側に凹んだ皿状に（または鍋蓋状に）形成された弾性体Ｚ１１には、皿形状の中央位置の凸側に取り付け部１５が、凹側にフランジ部１３が設けられ、凸側から凹み側へ向かって貫通する嵌合穴１４を備えている。
弾性体Ａ１０およびＺ１１のそれぞれの凹み側が対向する向きで嵌合穴１４がガイド軸１５に嵌り込み、両者の凹み側外周の端面１７が当接し、且つ凹み側フランジ部１３の端面が距離を隔てて対向する。ガイド軸１５の先端に備わった雌ねじに螺合固定される頭付き雄ねじがストッパー１６であって、両者を離脱させることなく押圧する。なお弾性体Ａ１０およびＺ１１の凹み側外周の端面１７には、それぞれ位置決め穴１９および位置決め突起１８が対応する位置に備わり両者相互の回転を阻止する。
弾性体Ａ１０およびＺ１１は、強化樹脂あるいは硬質ゴム等の制振性素材によって形成されており、両者の取り付け部から軸線方向に加圧されると、皿状部が撓んで両者の距離を隔てて対向するフランジ部１３の端面同士が当接するまで圧縮され、衝撃を緩衝することは実施例１と同様である。
弾性体Ａ１０に固着されたガイド軸１５が、弾性体Ｚ１１の嵌合穴１４に嵌合してガイドされており、軸線方向に対して傾斜した偏荷重が加わる場合でも、両取り付け部の間で傾斜動および横方向の変位を許容しない。また両弾性体をある長さ撓ませた状態でストッパー１６を固定することによって予圧可能であり、該予圧力に満たない外圧には反応しない構成が可能である。なおまたガイド軸１５およびストッパー１６を備えることによって前記特許文献４の事例と同様に引っ張り方向の強度を高くすることができ、高荷重の高い振動数にも耐える構成にすることができる。
【実施例４】
【００２０】
図４は、請求項４および５の発明を適用した実施例４の斜視図である。なおストッパー１６のみ組み込み前の位置に離して図示している。
実施例３と同様に形成された弾性体Ａ１０およびＺ１１の中間に、同様な形状に形成され  凹凸両側にフランジ部１３を設けた４個の中間弾性体Ｂ２０、Ｃ２１、Ｄ２２、およびＹ２３が配置され、皿形状の中央位置に凸側から凹み側へ向かって貫通する嵌合穴１４（図示せず）を備えてガイド軸１５（図示せず、図３参照）に嵌り込んでおり、弾性体Ａ１０とＢ２０、Ｃ２１とＤ２２およびＹ２３とＺ１１はそれぞれ一対となって互いに凹み側外周の端面１７が対向して当接しており、且つ両者の凹み側フランジ部１３の端面（図示せず）が距離を隔てて対向しており、なお且つ隣接する各対はそれぞれ中間弾性体Ｂ２０とＣ２１、およびＤ２２とＹ２３の凸側フランジ部１３の端面が対向して当接しており、ガイド軸１５の先端に固定されるストッパー１６（本例では頭付き雄ねじ）が、各対を離脱させることなく押圧するものである。なお各弾性体の凹み側外周の端面１７には、それぞれ位置決め穴１９（図示せず）および位置決め突起１８（図示せず）が対応する位置に備わり両者相互の回転を阻止している。（図３参照）
本実施例では、それぞれの各対の皿状サイズが他の対と異なったサイズに形成されており、且つ大きなサイズの弾性体Ｃ２１とＤ２２の対は皿形状の一部を切り欠いて形成されている。大きなサイズの対は大きな撓みと低弾性を提供し、小さなサイズの対は小さな撓みと高弾性を提供する構成である。ガイド軸１５およびストッパー１６の作用によって偏荷重が加わっても両取り付け部の間で傾斜動および横方向の変位を許容せず且つ予圧可能であり、また引っ張り方向の強度を高くできることは実施例３と同様である。
【実施例５】
【００２１】
図５は、請求項４の発明を適用した実施例５の一部断面図であり、椅子等の脚部に装着した事例である。
弾性体Ａ１０、Ｂ２０、Ｙ２３およびＺ１１、ガイド軸１５およびストッパー１６によって実施例４と同様に構成される。本例ではストッパー１６がガイド軸１５の先端に螺合されるナットである。接地部材３１が弾性体Ａ１０の取り付け部１２に取り付け固定され、円管体３０の脚下端が弾性体Ｚ１１の取り付け部１２に取り付け固定される。椅子等の脚体と接地部の継手として圧入あるいは接着等の簡単な手段で配置することができ、着座時等のショックアブソーバとして有効に作用する。
【実施例６】
【００２２】
図６は、請求項２の発明を適用した実施例６の一部断面図であり、歩行用杖の脚部に装着した事例である。
弾性体Ａ１０、Ｂ２０、Ｙ２３およびＺ１１およびリベット２７によって実施例１と同様に構成される。すなわち弾性体Ａ１０とＢ２０、Ｙ２３とＺ１１がそれぞれの凹み側外周の端面で当接し、弾性体Ｂ２０とＹ２３の凸側フランジ部の端面が当接し、リベット２７によりそれぞれが離脱不可能に固着されるものである。
接地部材３１が弾性体Ａ１０の取り付け部１２に取り付け固定され、円管体３０の脚下端が弾性体Ｚ１１の取り付け部１２に取り付け固定される。歩行用杖の脚体と接地部の継手として圧入あるいは接着等の簡単な手段で配置することができ、着地時等のショックアブソーバとして有効に作用する。杖を傾斜させて突き体重をかけると、接地部の下面が床面にフィットして直立しようとするので本器に偏荷重が作用することになるが、これに対応して弾性体群が撓み得る構成であって、接地部が確実に床面をグリップする。
【実施例７】
【００２３】
図７は、請求項４の発明を適用した実施例７の一部断面図であり、歩行用杖の握り柄の直下に装着した事例である。
弾性体Ａ１０、Ｂ２０、Ｙ２３およびＺ１１、ガイド軸１５およびストッパー１６によって実施例５と同様に構成される。杖の握り柄３２が弾性体Ａ１０の取り付け部１２に取り付け固定され、円管体３０の脚上端が弾性体Ｚ１１の取り付け部１２に取り付け固定される。歩行用杖の握り柄と円管体の継手として圧入あるいは接着等の簡単な手段で配置することができ、着地時等のショックアブソーバとして有効に作用する。
【産業上の利用可能性】
【００２４】
本発明による衝撃緩衝器は、上記椅子や歩行用杖の他にもカート、台車あるいは運搬車両のサスペンション等に適用できるものである。
【図面の簡単な説明】
【００２５】
【図１】請求項１の発明を適用した実施例１の展開斜視図
【図２】請求項１および５の発明を適用した実施例２の斜視図
【図３】請求項３の発明を適用した実施例３の展開斜視図
【図４】請求項４および５の発明を適用した実施例４の斜視図
【図５】請求項４の発明を椅子等の脚部に適用した実施例５の一部断面図
【図６】請求項２の発明を歩行用杖の脚部に適用した実施例６の一部断面図
【図７】請求項４の発明を歩行用杖の握り柄に適用した実施例７の一部断面図
【符号の説明】
【００２６】
１０    弾性体Ａ
１１    弾性体Ｚ
１２    取り付け部
１３    フランジ部
１４    嵌合穴
１５    ガイド軸
１６    ストッパー
１７    外周の端面
１８    位置決め突起
１９    位置決め穴
２０    中間弾性体Ｂ
２１    中間弾性体Ｃ
２２    中間弾性体Ｄ
２３    中間弾性体Ｙ
２５    固着用穴（外周部の）
２７    リベット
３０    円管体
３１    接地部材
３２    杖の握り柄
【図１】
2005083396.tif 000003
【図２】
2005083396.tif 000004
【図３】
2005083396.tif 000005
【図４】
2005083396.tif 000006
【図５】
2005083396.tif 000007
【図６】
2005083396.tif 000008
【図７】
2005083396.tif 000009